(57)【要約】【課題】  安定した品質を保持し、連続微細で制御されたセル径を有し、柔軟性があり、軽量で、自重に対する吸液量が多く、吸液速度が速く、液の保持性が高く、形状成形が容易であり、効率よく芳香を発散させる芳香材、および、意匠性に優れた外観を形成でき、香りの発散部が自然の花のごとく、擬似実現することができる、芳香材を備える造花を提供すること。【解決手段】  ポリビニルアルコールを原料とする発泡体に香料を含浸させた芳香材を形成するとともに、この芳香剤を備える造花を提供する。この芳香材は、安定した品質を保持し、連続微細で制御されたセル径を有し、柔軟性があり、軽量で、自重に対する吸液量が多く、吸液速度が速く、液の保持性が高く、さらには、形状成形が容易であり、効率よく芳香を発散させることができる。また、この芳香剤を備える造花は、意匠性に優れた外観を形成でき、香りの発散部を自然の花のごとく、擬似実現することができる。【選択図】    図１
2005261542.tif 000002
【特許請求の範囲】
【請求項１】
ポリビニルアルコールを原料とする発泡体に、香料が含浸されていることを特徴とする、芳香材。
【請求項２】
前記ポリビニルアルコールを原料とする発泡体のセル径が０．１〜２０００μｍであることを特徴とする、請求項１に記載の芳香材。
【請求項３】
前記ポリビニルアルコールを原料とする発泡体に対する、前記香料の含浸量が、前記ポリビニルアルコールの乾燥発泡体１００重量部に対して、１〜３０００重量部であることを特徴とする、請求項１または２に記載の芳香材。
【請求項４】
請求項１に記載の芳香材を備えることを特徴とする、造花。
【請求項５】
前記芳香材が花芯部であることを特徴とする、請求項４に記載の造花。
【発明の詳細な説明】
【技術分野】
【０００１】
本発明は、芳香材および造花に関し、詳しくは、室内等に設置する芳香材およびその芳香材を備える造花に関する。
【背景技術】
【０００２】
従来より、室内用の芳香材としては、液状あるいは粒状の芳香剤を、容器に収容することで、室内に設置するようにしている。
【０００３】
このような室内用の芳香材として、例えば、液体芳香剤を不織布などに含浸させ、これを容器内に収容したものが提案されている（例えば、特許文献１参照。）。
【特許文献１】特開２００２−３６２６６０号公報
【発明の開示】
【発明が解決しようとする課題】
【０００４】
しかし、特許文献１に記載される芳香材では、液体芳香剤を含浸させる素材として、フェルトや不織布などの吸液性素材を使用しているが、これらの素材は原料品質にばらつきが生じやすく、また、繊維が露出したり、圧力により変形しやすく、重量がある、さらには、複雑な形状に加工しにくい、また、自重や単位体積に対する液体の吸液量が少なく、さらには、吸液に時間がかかり、液の保持性が低いために吸液した液が容易に流出し、保持体として機能しない、といった不具合がある。
【０００５】
さらに、素材が高価であり、また、芳香材を容器に詰めて使用するため、容器形状に制限があり、意匠性に欠けるという不具合もある。
【０００６】
そこで、本発明の目的は、安定した品質を保持し、連続微細で制御されたセル径を有し、柔軟性があり、軽量で、自重に対する吸液量が多く、吸液速度が速く、かつ、液の保持性が高く、また、種々の形状に容易に成形できるとともに、効率よく芳香を発散させることのできる芳香材、および、その芳香材を備える造花を提供することにある。
【課題を解決するための手段】
【０００７】
上記目的を達成するために、本発明の芳香材は、ポリビニルアルコールを原料とする発泡体に香料が含浸されていることを特徴としている。
【０００８】
また、本発明においては、ポリビニルアルコールを原料とする発泡体のセル径が０．１〜２０００μｍであることが好ましい。
【０００９】
また、本発明においては、前記ポリビニルアルコールを原料とする発泡体に対する、前記香料の含浸量が、前記ポリビニルアルコールを原料とする発泡体１００重量部に対して、１〜３０００重量部であることが好ましい。
【００１０】
また、本発明は、前記芳香材を備える造花をも含んでいる。
【００１１】
また、本発明の造花においては、前記芳香材が花芯部であることが好ましい。
【発明の効果】
【００１２】
本発明の芳香材は、安定した品質を保持しており、連続微細で制御されたセル径を有し、柔軟性があり、軽量で、自重に対する吸液量が多く、吸液速度が速く、かつ、液の保持性が高く、さらには、種々の形状に容易に成形できるとともに、効率よく芳香を発散させることができる。
【００１３】
また、このような芳香材を備える造花は、芳香材を、種々の形状に成形できることから、意匠性に優れた外観を形成でき、芳香を有する装飾品として有効に用いることができる。特に、その芳香材を花芯として用いた場合には、香りの発散部が自然の花のごとく、擬似実現することができる。
【発明を実施するための最良の形態】
【００１４】
本発明の芳香材は、ポリビニルアルコール（以下、ＰＶＡという。）を原料とする発泡体に、香料が含浸されている。
【００１５】
本発明において、ＰＶＡを原料とする発泡体は、ＰＶＡスポンジとも称され、ポリビニルアルコールをアセタール化、好ましくはホルマール化するときに、発泡剤を加えて、公知の方法により発泡成形することにより、得ることができる。なお、アセタール化は、例えば、アセタール化度５０〜８０モル％程度であることが好ましい。さらに、発泡成形後においては、公知の切削工具などを用いて、任意の形状に後加工を施すことができる。このＰＶＡスポンジは、立体網目構造連続気孔をもち、一般的には、高い親水性を有し、ポリビニルアセタールに気孔を形成したものとして公知である。例えば、その気孔率は８０〜９５％である。また、このＰＶＡスポンジは、製造時において水分を含有しており、これを乾燥させたもの（ドライタイプ）と、さらに水分を含有したもの（ウェットタイプ）との２種類として調製することができる。
【００１６】
また、本発明におけるＰＶＡを原料とする発泡体は、その目的および用途により、他の樹脂が配合されていてもよく、この場合は、ＰＶＡ（ドライタイプ）に樹脂を含浸させ、硬化させることにより、得ることができる。そのような樹脂としては、例えば、メラミン樹脂などが挙げられる。なお、他の樹脂は、発泡成形時などにおいて、適宜の割合で配合することができる。
【００１７】
ＰＶＡを原料とする発泡体のセル径（気孔径）は、特に制限されないが、例えば、０．１〜２０００μｍ、好ましくは５０〜７００μｍである。０．１μｍ未満では、液を速やかに吸収し、適度な量を蒸散させることができず、また、２０００μｍを超えると、液を多量に保持することができない場合がある。
【００１８】
また、本発明のＰＶＡを原料とする発泡体は、市販品としても入手可能であり、例えば、ＰＶＡスポンジの高アセタール化タイプとして、アイオン社製のベイルーターＡシリーズのＦ(Ａ)、ＰＶＡスポンジのドライタイプとして、アイオン社製のベイルーターＤ(ドライ)シリーズのＤ(Ｄ)、また、ＰＶＡスポンジのメラミン樹脂含浸タイプとして、アイオン社製の１Ｒ−２１１０などが使用できる。
【００１９】
本発明において、香料は、特に制限されず、芳香剤に用いられる公知の香料を用いることができる。そのような香料としては、例えば、ムスク、アンバーなどの動物性香料、例えば、ローズ、ジャスミン、イランイラン、オレンジ、バニラ、ペパーミント、シトロネラ、サンダルウッドなどの植物性香料、例えば、ゲラニオール、リナロール、１−メントール、バニリン、オイゲノール、シトラール、酢酸イソアミル、フェニルエチルアルコール、シトロネロール、ネロール、ファルネソール、ゲラニルアセテート、ムスクケトン、ｐ−メチルアセトフェノン、ダマセノン、ヘキサン酸アリル、γ−ウンデカラクトンなどの合成香料などが挙げられる。これらの香料は、複数成分を組み合わせて用いてもよく、また、単一成分のみを用いてもよい。
【００２０】
そして、本発明の芳香材は、ＰＶＡを原料とする発泡体に、香料を含浸することにより得ることができる。ＰＶＡを原料とする発泡体に香料を含浸する方法としては、特に制限されず、例えば、スプレー法、浸漬法などの公知の方法が用いられ、その目的および用途により、適宜選択することができる。
【００２１】
香料の含浸量は、特に制限されないが、ＰＶＡを原料とする発泡体１００重量部に対して、例えば、１〜３０００重量部、好ましくは１００〜２０００重量部である。ＰＶＡを原料とする発泡体１００重量部に対して、香料の含浸量が１重量部未満では、長期にわたる芳香の持続性を得ることができず、また、３０００重量部を超えると、香料を発泡体の中に安定に保持することができない場合がある。香料の含浸量がＰＶＡを原料とする発泡体１００重量部に対して、上記の範囲の重量部であれば、長期にわたり、適度な芳香を持続することができる。
【００２２】
また、本発明の芳香材は、上記の香料とともにＰＶＡを原料とする発泡体に、その他の溶媒などを、適宜含浸させることもできる。
【００２３】
その他の溶媒としては、例えば、水やアルコールなどの親水性溶媒、水溶性の消臭剤、凍結防止剤などが挙げられる。
【００２４】
ＰＶＡを原料とする発泡体に、香料とともに、例えば、水やアルコールなどの親水性溶媒を含浸させると、ＰＶＡを原料とする発泡体が親水性であるために、一旦膨潤するが、その後、これら親水性溶媒の乾燥蒸発に伴なって、次第に収縮する。そうすると、その収縮に伴なって、香料が芳香材表面に向かって押し出され、効率よく芳香を発散できる。また、水と香料との比重差のために、水が芳香材下部へ、香料が芳香材上部へと移動するため、効率的な発散状態を維持できる。
【００２５】
また、ＰＶＡを原料とする発泡体に、香料とともに、例えば、水溶性の消臭剤を含浸させると、乳化剤を使用せずとも、経済的かつ効率的に芳香消臭材を得ることができる。なお、このような消臭剤としては、例えば、お茶フラボノイド（商品名：白井松新薬  ＦＳ５００）、植物抽出物（松下電工化研製  スーパーピュリエールＡ−１００、環境科学開発製  Ｌ−１７ｗ）などが挙げられる。
【００２６】
さらに、ＰＶＡを原料とする発泡体に、香料とともに、例えば、凍結防止剤を含浸させると、氷点下以下のような寒冷地においても、効率よく香料を芳香させることができる。なお、このような凍結防止剤としては、例えば、プロピレングリコールなどが挙げられる。なお、香料の種類を選択すれば、凍結防止剤を含浸させずとも、寒冷地において、香料を芳香させることができる。
【００２７】
また、このような溶媒の含浸量は、適宜決定される。
【００２８】
そして、このようにして得られた本発明の芳香材は、ＰＶＡを原料とする発泡体が親水性である一方、香料が一般的に疎水性であるため、香料がＰＶＡを原料とする発泡体となじみにくく、放出されやすいため、香料を十分かつ効率よく発散することができる。
【００２９】
また、本発明の芳香材は、香料が含浸されるＰＶＡを原料とする発泡体が、安定した品質を保持しており、連続微細で制御されたセル径を有し、柔軟性があり、軽量で、自重に対する、吸液量が多く、吸液速度が速く、かつ、液の保持性が高く、さらには、上記したように、種々の形状に容易に成形することができる。そのため、例えば、意匠性に優れた外観形状に成形して、そのまま用いることができる。
【００３０】
また、例えば、一定形状に成形して、缶、瓶、陶器などの容器に収容することもできる。
【００３１】
容器に収容する場合には、容器上部に芳香材を設置し、容器内部に水溶性の消臭剤を収容し、芳香材に消臭剤吸い上げ用の細管を接続して、この細管が、常時、消臭剤中に浸漬する状態にしておくことで、芳香材には、常に消臭剤が供給される、芳香消臭材を得ることができる。
【００３２】
そして、このような本発明の芳香材は、好ましくは造花に備えられる。
【００３３】
本発明において、上記の芳香材を備える造花は、特に制限されず、例えば、布製、紙製、プラスチック製、セラミックス製などの市販されている造花など、その目的および用途により適宜選択することができる。
【００３４】
本発明において、上記の芳香材を備えた造花における、芳香材の設置部は、特に制限されず、葉部、茎部、花蓋部など、いずれの部位にも設置することができる。その設置部として、好ましくは、花芯部に設置される。
【００３５】
なお、花芯部とは、より具体的には、おしべやめしべに相当する部分であるが、花弁の中心に位置される部分であれば、特に制限されない。図１には、花芯部に芳香材が設置されている造花の一実施形態が示されている。この造花Ａは、百合科植物であって、軸となる茎４の下方部に葉５を擁し、茎４の上部に数枚の花弁３を擁し、その花弁３の中央にめしべ１と、そのめしべ１を囲むように複数のおしべ２を擁している。
【００３６】
そして、この造花Ａのめしべ１が、めしべの形状を模した本発明の芳香材により形成されている。
【００３７】
このようにして得られた本発明の芳香材を備える造花は、芳香材を、花芯に成形できるとともに、軽量であるため、美観に優れた、室内用装飾品、とりわけ、自動車の車室用装飾品として有効に用いることができる。
【００３８】
さらに、本発明の芳香材を備える造花は、その芳香材を花芯部とすることにより、花芯部からの香りを発するため、自然の花を模した造花とすることができる。そのため、あたかも実物の花芯部のごとく模倣形成して、自然な外観を呈しつつ、香りの発散部が自然のごとく、擬似実現することができる。
【実施例】
【００３９】
以下に実施例および比較例を挙げて本発明をさらに詳しく説明するが、本発明はこれに限定されるものではない。
【００４０】
各実施例および各比較例で用いた素材を、表１に示す。ここで、素材とは、香料を含浸させるための香料被含浸体をいう。
【００４１】
試験例
１）香料の含浸試験
各実施例および各比較例の素材を、３０×３０×８ｃｍの大きさにカットし、これに香料（ＲＯＳＥ  ＧＡＲＤＥＮ６２１２１、ジボダン社製）をスポイトにて、均一に含浸させた。
【００４２】
そのときの、各実施例および各比較例の素材に対する、香料含浸量を計量した。香料含浸量は、素材に香料をスポイトで添加していき、各素材が吸収しきれなくなったときの香料の全添加量とした。その結果を表１に示す。
【００４３】
また、そのときの、各実施例および各比較例の素材に対する、香料の吸収時間を測定した。その結果を表１に示す。
２）香料の蒸散試験
各実施例および各比較例の素材に対して、香料を含浸させた後、１日毎に各素材の香料残存量（減量）を測定し、次いで、下記の計算式（１）を用いて、香料の全蒸散量を求め、各日毎にプロットした。その結果を図２に示す。
【００４４】
香料の全蒸散量〔ｍＬ〕＝（Ｖ１−Ｖｂ）                        （１）
Ｖ１：素材に対する香料含浸量〔ｍＬ〕
Ｖｂ：素材の香料残存量〔ｍＬ〕
３）素材の加工性の評価
また、素材の加工性について評価した。その結果を表１に示す。
【００４５】
なお、素材の加工性は、下記の通り評価した。
【００４６】
◎：複雑な形状が高い精度で成形できた。
【００４７】
○：複雑な形状が成形できた。
【００４８】
△：簡単な穴程度は開けられた。
【００４９】
×：加工が非常にしにくかった。
【００５０】
【表１】
2005261542.tif 000003
【図面の簡単な説明】
【００５１】
【図１】本発明の芳香材を備えた造花の一実施形態（百合科植物）を示す概略構成図である。
【図２】各実施例および各比較例の蒸散速度を示す図である。
【符号の説明】
【００５２】
１    めしべ
２    おしべ
３    花弁
４    茎
５    葉
【図１】
2005261542.tif 000004
【図２】
2005261542.tif 000005